(57)【要約】【課題】封止手段による封止作業が容易であるとともに、一端封止した後の固定部材の取り外しができず、確実に開封痕跡を残すことができる基板ケースを提供する【解決手段】取付部側取付孔２９を設けてカバー体２１に備えた取付部２８と、取付受部側取付孔１８を設けて基台１２に備えた取付受部１６と、基台１２とカバー体２１の閉止状態において、取付部側取付孔２９から取付受部側取付孔１８にかけて、貫通して押圧挿入することにより基台１２とカバー体２１とを固定する固定部材３６と、固定部材３６が、取付部側取付孔２９から取付受部側取付孔１８にかけて、貫通して押圧挿入された状態で、固定部材の挿入方向と逆方向への移動を制限する移動制限手段４１を備え、固定部材によって基台とカバー体とが固定された状態で、取付部または取付受部を分離切断することにより、基板ケースは開封可能である。【選択図】図７
2007089905.tif 000002
【特許請求の範囲】
【請求項１】
基台と、該基台に開閉可能に装着されるカバー体とを備え、前記基台に前記カバー体を閉止状態で装着して形成される内部空間に遊技機における遊技の制御を行う制御基板を収容し、前記閉止状態において封止を行う封止手段を備えた遊技機の基板ケースにおいて、
前記封止手段は、
前記基台と前記カバー体のいずれか一方に備えられ、取付部側取付孔を設けた取付部と、
いずれか他方に備えられ、前記閉止状態において、前記取付部側取付孔と同軸となる位置に取付受部側取付孔を設けた取付受部と、
前記閉止状態において、前記取付部側取付孔から前記取付受部側取付孔にかけて、貫通して押圧挿入することにより前記基台とカバー体とを固定する固定部材と、
前記固定部材が、前記取付部側取付孔から前記取付受部側取付孔にかけて、貫通して押圧挿入された状態で、該固定部材の挿入方向と逆方向への移動を制限する移動制限手段とから構成され、
前記固定部材によって前記基台と前記カバー体とが固定された状態で、前記取付部または前記取付受部を分離切断することにより、基板ケースは開封可能であることを特徴とする遊技機の基板ケース。
【請求項２】
固定部材の外周には、溝が設けられ、
移動制限手段は、取付受部に備えられ、前記固定部材が取付受部側取付孔へ押圧挿入された後、前記固定部材を挿入方向と逆方向へ移動しようとすると前記固定部材の溝を係止して前記固定部材の挿入方向と逆方向への移動を制限する係止部であることを特徴とする請求項１に記載の遊技機の基板ケース。
【請求項３】
取付部は、固定部材を収容する収容筒と、
該収容筒に収容された固定部材が、収容筒外へ離脱することを防止する離脱防止手段を備えたことを特徴とする請求項１又は２に記載の遊技機の基板ケース。
【請求項４】
収容筒は、上部に開口部を有し、
離脱防止手段は、固定部材を前記開口部より前記収容筒へ収容した後に、前記開口部を閉塞して取り外し困難に固着される蓋部であり、
該蓋部は、前記固定部材の頭部への押圧操作のみを可能に、一部が開口されていることを特徴とする請求項３に記載の遊技機の基板ケース。
【請求項５】
請求項１乃至４のいずれかに記載の遊技機の基板ケースを備えたことを特徴とする遊技機。
【発明の詳細な説明】
【技術分野】
【０００１】
本発明は、弾球遊技機（パチンコ機）、回胴式遊技機（パチスロ機）などに備えられる制御基板を封止可能に収容する遊技機の基板ケースに関する。
【背景技術】
【０００２】
弾球遊技機（いわゆるパチンコ機）には、例えば、遊技の進行を制御する主制御基板、該主制御基板からの信号に従って演出装置を制御する副制御基板、電源基板、貸球及び賞球の払出を制御する払出制御基板が、夫々基板ケースに収容されて遊技盤裏側の基板ベースに備えられている。
【０００３】
弾球遊技機に備えられるこれらの基板ケースのうち、特に主制御基板を収容する基板ケースは、基板ベースに取り付けられる基台と、該基台との間に主制御基板を配してカバーするカバー体とで構成し、前記カバー体の一部若しくは全部が透明な材料で構成されている。そして、このカバー体と基台とにわたり、基板ケース開封時の痕跡が残るように防犯用の封止手段を複数個配設している。
この封止手段は、複数個配設されているうちの一個の封止手段により基板ケースを封止しており、公共の検査機関（公安委員会）による検査の際には、その封止手段を損壊して基板ケースを開封する。そして、検査終了後、他の一個の封止手段により基板ケースを再び封止し、検査履歴を基板ケースの所要箇所に記録する。
このように構成されている基板ケースを使用することで、封止手段の開封痕跡と検査履歴を照合すれば検査機関による検査の有無、検査回数が確認できるため、制御基板のＲＯＭ（Read Only Memory）等の電子部品を交換するなどの不正行為を目的とした基板ケース開封の有無が容易に確認できる。
【０００４】
従来、このような封止手段を備え持つ基板ケースは、例えば特許文献１に開示されているように、複数のケースの組合せによって制御基板を収容する収容室を構成しており、その一方のケース（第１ケース）に連結部を介して設けられた複数個の固定個所部からなる第１固定ブロックと、他方のケース（第２ケース）に設けられた第２固定ブロックとを、固定ネジによって締結することにより基板ケースを封止し、この封止手段を解除してケースを開封するには、前記一方のケースと固定ブロックの固定個所部を連結している連結部を切断する。そして、検査終了後において再度基板ケースを封止するには、前記切断した連結部と連結されている固定個所部以外の他の固定個所部と第２固定ブロックとを固定ネジによって締結する。
【特許文献１】特開２００２−１６６０１２号公報
【発明の開示】
【発明が解決しようとする課題】
【０００５】
しかし、このような従来の基板ケースの封止手段であると、固定ネジによる第１固定ブロックと第２固定ブロックとの螺着作業が非常に煩わしく、基板ケースの取り付け作業コストが掛かっていた。
また、この封止手段であると、開封時に連結部を切断して一方のケースから離れた固定個所部は他方のケースの固定ブロック（第２固定ブロック）にネジ止めされて残ることで開封痕跡として認識できる。しかしその構成上、固定ネジを取り外すことにより、前記固定個所部は容易に取り外すことができるため、開封痕跡が一目で判らなくなる虞もあった。
【０００６】
本発明は、このような問題を解決するためになされており、その目的とするところは、封止手段による封止作業が容易であるとともに、一端封止した後の固定部材の取り外しができず、確実に開封痕跡を残すことができる基板ケースを提供することである。
【課題を解決するための手段】
【０００７】
このような目的を達成するために、第１の発明は、基台１２と、該基台１２に開閉可能に装着されるカバー体２１とを備え、前記基台１２に前記カバー体２１を閉止状態で装着して形成される内部空間に遊技機における遊技の制御を行う制御基板（例えば主制御基板７）を収容し、前記閉止状態において封止を行う封止手段３５を備えた遊技機の基板ケース１１において、前記封止手段３５は、前記基台１２と前記カバー体２１のいずれか一方に備えられ、取付部側取付孔２９を設けた取付部２８と、いずれか他方に備えられ、前記閉止状態において、前記取付部側取付孔２９と同軸となる位置に取付受部側取付孔１８を設けた取付受部１６と、前記閉止状態において、前記取付部側取付孔２９から前記取付受部側取付孔１８にかけて、貫通して押圧挿入することにより前記基台１２とカバー体２１とを固定する固定部材３６と、前記固定部材３６が、前記取付部側取付孔２９から前記取付受部側取付孔１８にかけて、貫通して押圧挿入された状態で、該固定部材３６の挿入方向と逆方向への移動を制限する移動制限手段４１とから構成され、前記固定部材３６によって前記基台１２と前記カバー体２１とが固定された状態で、前記取付部２８または前記取付受部１６を分離切断することにより、基板ケース１１は開封可能であることを特徴とする遊技機の基板ケースとしたことである。
【０００８】
本発明によれば、固定部材３６の押圧操作で基板ケース１１の封止が可能であるため、基板ケース封止作業の作業コストが低減できる。また、本発明によれば、固定部材３６によって貫通固定された取付部２８または取付受部１６を切断すれば、基板ケース１１が開封可能である。また、切断された取付部２８または取付受部１６は、固定部材３６が挿入方向と逆方向の移動制限を受けるため、取付受部１６または取付部２８に固定された状態のままとなる。従って、開封痕跡が確実に残る。
【０００９】
第２の発明は、第１の発明において、固定部材３６の外周には、溝４０が設けられ、移動制限手段４１は、取付受部１６に備えられ、前記固定部材３６が取付受部側取付孔１８へ押圧挿入された後、前記固定部材３６を挿入方向と逆方向へ移動しようとすると前記固定部材３６の溝４０を係止して前記固定部材３６の挿入方向と逆方向への移動を制限する係止部であることを特徴とする遊技機の基板ケースとしたことである。
【００１０】
本発明によれば、固定部材３６の挿入方向とは逆方向の移動を制限するための構造が容易であり、製造コストに優れている。
【００１１】
第３の発明は、第１又は第２の発明において、前記取付部２８は、固定部材３６を収容する収容筒と、該収容筒（取付部２８）に収容された固定部材３６が、収容筒（取付部２８）外へ離脱することを防止する離脱防止手段４９を備えたことを特徴とする遊技機の基板ケースとしたことである。
本発明によれば、固定部材３６の離脱による紛失を防止できる。
【００１２】
第４の発明は、第３の発明において、収容筒（取付部２８）は、上部に開口部３０を有し、離脱防止手段４９は、固定部材３６を前記開口部３０より前記収容筒（取付部２８）へ収容した後に、前記開口部３０を閉塞して取り外し困難に固着される蓋部であり、該蓋部（離脱防止手段４９）は、前記固定部材３６の頭部３８への押圧操作のみを可能に、一部が開口されていることを特徴とする遊技機の基板ケースとしたことである。
本発明によれば、固定部材３６を引き抜いたり、固定部材３６のみを切断する等の不正行為を防止できるのでセキュリティ効果に優れる。
【００１３】
第５の発明は、第１乃至第４のいずれかに記載の遊技機の基板ケース１１を備えたことを特徴とする遊技機としたことである。第１乃至第４のいずれかに記載の基板ケース１１を備えたことにより、遊技店側や作業者などの遊技機の作業・操作精度が向上するとともに、商品価値の向上も図れる。
【発明の効果】
【００１４】
本発明によれば、封止手段による封止作業が容易であるとともに、一端封止した後の固定部材の取り外しができず、確実に開封痕跡を残すことのできる基板ケースが提供できる。
【発明を実施するための最良の形態】
【００１５】
以下、本発明の一実施形態について説明する。なお、本実施形態は本発明の一例にすぎずなんらこれに限定解釈されるものではなく、本発明の範囲内で設計変更可能である。
【実施例１】
【００１６】
本実施例では、図に示すように、本発明基板ケースを備えた遊技機の一例として弾球遊技機（パチンコ機ともいう）をもって説明し、図１は弾球遊技機の一例を示す背面斜視図で、図２は背面図である。なお、本実施例では弾球遊技機を一例として挙げて説明するが、回胴式遊技機などその他の遊技機も対象である。
【００１７】
弾球遊技機は、図１及び図２に示すように、外枠１の前面に内枠（ベースドア）２が回動自在に軸支され、該内枠２の前面には、遊技盤ベースに始動入賞口や遊技釘などの種々の遊技部材を備えて構成した図示しない遊技盤が着脱自在に装着され、該内枠２の背面には種々の裏機構が配置されている。
例えば本実施例では、内枠２の上部には貸球及び賞球を貯蔵する球タンク３が配され、内枠２の側部には前記球タンク３から上皿へと貸球及び賞球を誘導する球通路４が配されている。
そして、内枠２の略中央には、遊技機を制御する各種制御基板を配置した基板ベース５が配されている。
なお、図中６は、前記基板ベース５上に被せるベースカバーである。
【００１８】
基板ベース５には、遊技機の設計上の都合によって種々の制御基板が自由に配置される。例えば本実施例では、図１及び図２に示すように、遊技の進行を制御する主制御基板７、該主制御基板７からの信号に従って各演出装置を制御する副制御基板８、電源基板９、貸球及び賞球の払出を制御する払出制御基板１０などが、夫々埃などから各基板を守るために、基板ケース１１，１１ａ，１１ｂ，１１ｃに収容された状態で基板ベース５の所定位置に配置されている。以下、本発明の基板ケースの一例について、主制御基板７を収容する基板ケース１１をもって詳述する。
【００１９】
基板ケース１１は、図３乃至図６に示すように、前記基板ベース５に取付固定される基台１２と、該基台１２に開閉可能に装着されるカバー体２１と、前記基台１２に前記カバー体２１を閉止状態で装着した際に、封止を行う封止手段３５を備えて構成されている。
なお、本実施例では、主制御基板７を収容する基板ケース１１を一例として挙げて説明するが、他の制御基板８…を収容する基板ケース１１ａ…に本実施例構成を適用することは可能である。
【００２０】
基台１２は、図３、図４及び図６に示すように、例えば合成樹脂材料をもって略矩形状に形成されるとともに、後述するカバー体２１の複数の係止爪２５を係止する複数の係止部１４を側面に一体に備えた基台本体１３と、該基台本体１３の一つの短辺１５寄りの表面に、該短辺１５と平行に取付受部１６を一体に設けて構成されている。
【００２１】
カバー体２１は、図３、図４及び図６に示すように、例えば合成樹脂材料をもって前記基台本体１３を覆う大きさの表面２３と、該表面２３の端縁から垂設される側面２４とで構成される下面が開放された箱形形状に形成されるとともに、側面２４の所定箇所に前記基台１２の複数の係止部１４に係止可能な複数の係止爪２５が設けられてなるカバー体本体２２と、該カバー体本体２２の一つの側面２４（図４にて左側の側面）から水平方向に延設された面部２６の端縁と平行かつ一体に突設された複数個の取付部２８とで構成されている。
そして、前記基台１２にカバー体２１を閉止状態で装着した際に、基台本体１３とカバー体本体２２との間には、主制御基板７を収容する所定の内部空間が形成される。なお、本実施例では、カバー体２１の係止爪２５を基台１２の係止部１４に係止した後、カバー体２１のネジ孔２１ａと基台１２のネジ孔１２ａを連通せしめて図示しないネジにて共締めすることにより閉止状態に固定する。
【００２２】
封止手段３５は、図３乃至図７に示すように、カバー体２１に備えられる前記取付部２８と、基台１２に備えられる前記取付受部１６と、前記取付部２８内と取付受部１６内とにわたって嵌挿して前記基台１２とカバー体２１を連結固定可能な固定部材３６と、前記固定部材３６の所定方向の移動を制限する移動制限手段４１とで構成されている。
【００２３】
取付部２８は、図３乃至図６に示すように、夫々取付部側取付孔２９を設けて複数個並設されており、夫々が連結部３３を介してカバー体２１と一体に接続されている。
例えば本実施例によれば、平面視円形状に開放した上方開口部３０を備えるとともに、該上方開口部３０と連通して固定部材３６を収容する収容空間３２を設けた円筒状の収容筒とし、この収容筒の内底に、前記上方開口部３０と同軸上に貫通して前記収容空間３２と連通する取付部側取付孔２９を備えて構成されている。
【００２４】
そして、この収容筒（取付部）２８が、連結部３３を介してカバー体２１の面部２６の端縁２７に一体に接続されている。なお、連結部３３は、その形状に特に限定されるものではないが、所定の治具を介して任意に切断可能な厚みに形成されてカバー体２１と取付部２８との間に一体に架け渡されている。
【００２５】
取付部側取付孔２９は、図７に示すように、後述する固定部材３６としての嵌合軸部３７が摺接して移動可能な孔径とし、その取付部側取付孔２９の孔周囲に存する内面は、後述する固定部材３６を押圧した際に、そのピン頭部３８の内面が当接する受面部３４である。
なお、本実施例では、この取付部側取付孔２９が円形状の孔構成としているが、特に限定されず、本発明の範囲内で種々設計変更可能である。
また、前記収容空間３２は、上方開口部３０の孔径と同一内径で、かつ後述する固定部材３６としてのピン頭部３８が摺接可能な円筒孔とする。
【００２６】
取付受部１６は、図６及び図７に示すように、前記カバー体２１と基台１２とを閉止した状態において、前記取付部２８の取付部側取付孔２９と同軸となる位置に、取付受部側取付孔１８を複数個設けて構成されている。
例えば本実施例によれば、図６に示すように、前記基台本体１３の一つの短辺１５寄りの上面に、該短辺１５と平行、かつ上端を開放した細長箱状に形成した受部本体１７と、該受部本体１７内に、円筒状に形成した取付受部側取付孔１８を所定間隔置きに複数個並設して構成されている。
【００２７】
取付受部側取付孔１８は、本実施例によれば、後述する固定部材３６の嵌合軸部３７が挿入可能に、該嵌合軸部３７よりも僅かに大径で、かつ所定深さの円筒孔に形成されている。なお、本実施例では、この取付受部側取付孔１８が円形状の孔構成としているが、特に限定されず、本発明の範囲内で種々設計変更可能である。
【００２８】
移動制限手段４１は、図６、図７及び図８（ａ），（ｂ）に示すように、後述する固定部材３６が前記取付部側取付孔２９から取付受部側取付孔１８内に貫通して押圧挿入された際に、固定部材３６の溝４０に係合して固定部材３６の挿入方向と逆方向の移動を制限する。
例えば、ステンレス鋼製等のＰ形スピードナットからなる係止部４３が採用され、本実施例では、細長一体の板状部４２に、所定間隔置きに複数（取付受部側取付孔１８と同軸かつ同数）の係止部が、該板状部４２と一体に並設されている。各係止部４３には、取付受部側取付孔１８方向に向けて傾斜する二片の係止片４４が夫々の係止先端４５を対向させて備えられており、両係止先端４５間の空間Ｓは、後述する固定部材３６の嵌合軸部３７の軸径よりも僅かに小さく、該嵌合軸部３７がその両係止先端４５を押し広げて押圧挿入可能に設けられている。前記係止先端４５は、夫々平面視Ｖ字状に切欠き形成されている。そして本実施例では、取付受部１６の開放した上面にて各取付孔１８の上方に掛け渡すように備えられている。
そして、本実施例では、移動制限手段４１上を覆って固定する覆設板４６を取付固定している。
【００２９】
なお、移動制限手段４１は、上述のように、いわゆるＰ形スピードナットからなる係止部４３を単一の細長一体の板状部４２に複数個一体成形してなる構成に限定されるものではなく、各取付受部１６に対応して夫々個別に形成した単一のＰ形スピードナットからなる係止部４３を取付受部側取付孔１８の上方に取付固定するものであってもよい。
【００３０】
覆設板４６は、図６及び図７に示すように、前記取付受部１６の受部本体１７と略同一長さ及び幅を有する平板状に形成し、その長手方向の両端には、夫々ネジ孔４７が貫通して設けられるとともに、その両端のネジ孔４７間に所定間隔を置いて複数個の貫通孔４８が設けられている。この覆設板４６は、移動制限手段４１を取付受部１６との間で所定位置に固定するものである。
【００３１】
この覆設板４６は、前記両端のネジ孔４７を取付受部１６のネジ孔１９に合わせて連通させるとともに、その連通する両ネジ孔４７，１９にわたってネジ２０を螺合することで、取付受部１６に着脱可能に取付固定される。
貫通孔４８は、前記取付受部１６の各取付受部側取付孔１８と同軸上に同数設けるとともに、少なくとも固定部材３６の嵌合軸部３７が鉛直方向に移動可能な孔径に形成されている。なお、この貫通孔４８は、嵌合軸部３７が鉛直方向に移動可能な孔形状であればよく特に限定解釈されない。
【００３２】
固定部材３６は、図６及び図７に示すように、前記取付部側取付孔２９と、前記取付受部側取付孔１８とにわたり、貫通して押圧挿入可能な長さを有し、カバー体２１と基台１２とを閉止した状態において、前記取付部側取付孔２９から前記取付受部側取付孔１８にかけて、貫通して押圧挿入することにより前記基台１２とカバー体２１とを封止固定する。
本実施例によれば、固定部材３６は、非押圧時に取付部（収容筒）２８内の収容空間３２に収容可能な全体大きさを有し、かつ後述する移動制限手段４１としての係止部４３に嵌合可能な軸ピンで、円柱状の嵌合軸部３７と、該嵌合軸部３７の上端に鍔状に設けられるピン頭部３８で構成されている。
また、本実施例では、固定部材３６の所定位置の外周に溝４０が設けられ、該溝４０が係止部４３に係合される。
【００３３】
嵌合軸部３７は、少なくとも取付部（収容筒）２８内から取付受部側取付孔１８方向に押圧し、後述するピン頭部３８の鍔状内面３９が収容筒２８内底の受面部３４に当接した際に取付受部側取付孔１８内に挿入可能な長さを有するとともに、該挿入時に係止部４３が係合する箇所に周方向に連続する溝４０を設けている。なお、溝４０は断続しているものであってもよい。
ピン頭部３８は、ドーム状に形成されるとともに、その内面の中心と、前記嵌合軸部３７の軸心とが同軸となるように一体に形成されており、本実施例では、嵌合軸部３７の直径よりも大径に形成され、平坦な鍔状内面３９が設けられる。
なお、本実施例では、嵌合軸部３７の外周に係止部４３が係合する溝４０を設ける構成としているが、係止部４３で固定部材３６を挿入方向とは逆方向に移動不能に固定できるものであれば、特にこの溝４０を設けない構成としてもよい。
【００３４】
また、本実施例では、図３乃至図７に示すように、前記取付部２８の上方に離脱防止手段４９が備えられている。
離脱防止手段４９は、前記取付部２８内に収容された固定部材３６が、取付部２８外へ離脱することを防止する構成を有し、例えば本実施例では、前記取付部側取付孔２９の孔径よりも小径の孔径とするリング状に形成された開口５１を備えた複数個の円環部５０が連結部５２を介して水平方向に並設一体に形成されている蓋部である。
そして、夫々の円環部５０の開口５１が、各取付部（収容筒）２８の上方開口部３０と同軸に位置するように配するとともに、前記取付部（収容筒）２８の上端に溶着若しくは接着等の固着手段を介して一体的に固定して備える。なお、取付部（収容筒）２８の上端に固着する以前に、取付部（収容筒）２８の収容空間３２内には固定部材３６を予め収容しておく。
【００３５】
すなわち、このような離脱防止手段４９を備えることにより、取付部２８の収容空間３２に収容されている固定部材３６が取付部２８から離脱して紛失することを防ぐことができる。
また、取付部２８の収容空間３２よりも離脱防止手段４９の開口５１を小さく構成していることから、棒状の細い治具などで固定部材３６を押圧操作することしかできない。従って、前記取付部側取付孔２９から前記取付受部側取付孔１８にかけて、貫通して押圧挿入された固定部材３６を、該固定部材３６の挿入方向と逆方向への移動（取付部側取付孔２９の上方開口部３０方向への固定部材３６の移動）、すなわち固定部材３６を引き抜いたり、固定部材３６のみを切断する等の不正行為を防止することができる。
【００３６】
ここで、本実施例の基板ケース１１の封止作動及び封止解除作動について説明する。
【００３７】
まず、基板ケース１１を封止するには、図３乃至図７に示すように、カバー体２１の係止爪２５を基台１２の係止部１４に係止した後、カバー体２１のネジ孔２１ａと基台１２のネジ孔１２ａを連通せしめて図示しないネジにて共締めすることにより閉止状態に固定する。
そして、例えば棒状の治具を、蓋部４９の開口５１から任意の一つの取付部２８の取付部側取付孔２９に挿入し、軸ピン３６のピン頭部３８を、収容筒２８の収容空間３２内底面の受面部３４に当接するまで押圧する。これにより、軸ピン３６の嵌合軸部３７が、基台１２の取付受部側取付孔１８内に挿入されるとともに、嵌合軸部３７が係止部４３によって係合される。
【００３８】
すなわち、嵌合軸部３７が係止部４３に押圧挿入された際、その両係止片４４の弾性に抗して挿入される。
従って、挿入後、両係止片４４の反発力により係止先端４５が嵌合軸部３７の外周に圧接されているため、嵌合軸部３７の押圧方向と逆方向の力、例えば固定部材３６を引き抜こうとする力が作用すると、その両係止片４４のＶ字状に切欠かれている両係止先端４５が固定部材３６の嵌合軸部３７に食い込み、前記引き抜き方向（嵌合軸部３７の押圧方向と逆方向）の移動を制限する。
さらに、本実施例によれば、嵌合軸部３７に溝４０が設けられており、この溝４０が前記係止先端４５に係合するため、より前記引き抜き方向（嵌合軸部３７の押圧方向と逆方向）の移動を阻止することができる。
すなわち、固定部材３６は、上述した通り、一方向（固定部材３６の押圧方向）への移動しか成し得ないため、その嵌合軸部３７が、一旦、基台１２に備えられている取付受部側取付孔１８に押圧挿入されると、取り外すことが不可能となり、基台１２とカバー体２１は封止される。
【００３９】
次に、例えば公共の検査機関（公安委員会）による検査の際には、前記封止状態を解いて基板ケース１１を開封する必要があり、まず、取付部２８をカバー体２１に一体に接続する連結部３３を図示しない所定の治具を使って切断し、前記取付部２８をカバー体２１から分離する（図９及び図１０）。また、本実施例では、各取付部２８上にわたって蓋部４９の各円環部５０が取り付け固定されているため、その分離切断対象となる前記取付部２８上に位置する円環部５０と隣り合う取付部２８上に位置する円環部５０を接続している連結部５２も併せて切断する（図９）。
【００４０】
そして、このように二箇所の連結部３３，５２が切断されると、基台１２の取付受部１６上に、前記分離切断された取付部２８が取付固定された状態で残るとともに、カバー体２１は封止状態が解かれ、開封可能となる。
【００４１】
次に、検査終了後、カバー体２１を閉止状態（前記分離切断時の図９状態と同じ状態）とするとともに、再度封止する場合には、未だ押圧挿入されずカバー体２１側の収容筒２８内に収容されている軸ピン３６（図９の状態で向かって左から二番目の円環部５０の開口５１からピン頭部３８が見えている軸ピン３６）を、押圧して嵌合軸部３７を取付受部１６の取付受部側取付孔１８内へと挿入し、係止部４３により嵌合軸部３７を係合することにより、再度封止することができる（図９乃至図１２）。
従って、開封の際に分離切断された取付部２８は、上述の通り取り外されることなく基台１２側に取り外し不能に残るため、基板ケース１１が不正に開封されると容易に発見することができる（図１０乃至図１２）。
「変形例１」
【００４２】
特に図示はしないが、前記基台１２側に取付部２８、カバー体２１側に取付受部１６を備え、封止状態から基板ケースを開封する場合には、前記カバー体２１側に備える取付受部１６のカバー体２１との連結部を分離切断して前記カバー体２１と取付受部１６との連結状態を解除する形態としてもよい。すなわち、前記基台１２と前記カバー体２１のいずれか一方に取付部２８が備えられ、他方に取付受部１６が備えられており、カバー体２１と連結されている取付部もしくは取付受部を分離切断可能とする構成が採用されていればよい。なお、基台１２に備えられた取付部２８又は取付受部１６を分離切断して連結状態を解除する形態としてもよい。
また、取付部２８と取付受部１６は、夫々本実施例では、４個の取付部側取付孔２９と４個の取付受部側取付孔１８を備えるものとしているが、夫々の数に限定されるものではなく本発明の範囲内で設計変更可能である。
「変形例２」
【００４３】
前記実施例１では、固定部材３６として円筒状の軸ピンを採用するとともに、該軸ピン３６の嵌合軸部３７を、該軸ピン３６の押圧方向と逆方向の移動を制限しつつ固定する移動制限手段４１としてＰ形スピードナットを採用しているが、固定部材３６と移動制限手段４１は、固定部材３６が押圧方向のみ進入可能で逆方向の移動を制限しつつ固定可能な構成であれば他の形態を採用することも可能である。すなわち、一旦固定部材３６を取付受部１６の取付孔１８内に押圧挿入して固定された後は、その固定状態が解除されない構成を有するものであれば本発明の範囲内であり、適宜設計変更可能である。
例えば、固定部材には、弾性材料からなるとともに、外方に突設した矢尻部を先端若しくは任意の箇所に備えた少なくとも一対の係止片部を所定間隔をあけて備えた構成を採用し、他方、係止部は，前記一対の係止片部を夫々弾性に抗して挿入させることが可能な単なる環状部材が採用される。従って、係止部の環状部材に、前記一対の係止片部を、夫々の弾性に抗して近接するように押圧しつつ係止部に挿入し、挿入後、その弾性に抗していた状態を解除すれば、係止片部に設けた矢尻部が係止部に固定されるものとした構成が考えられる。
「変形例３」
【００４４】
前記実施例１では、図６及び図８（ａ）に示すように、移動制限手段４１の板状部４２がその各係止片４４部分以外を平坦に形成しているが、例えば図８（ｃ）に示すように、両側部分４２ａと係止片４４の双方を、裏側方向（取付受部側取付孔１８方向）に向けて弓形状に湾曲させて形成することにより、バネ性を付与して固定部材３６に対する密着性をさらに向上させるものとしてもよく本発明の範囲内で設計変更可能である。その他の構成及び作用効果については実施例１と同様であるため、同一箇所に同一符号を付してその説明は省略する。
なお、各係止片４４の両側に存する両側部分４２ａのみ、若しくは係止片４４のみを弓形状に湾曲させて形成するものとしてもよく本発明の範囲内である。
【００４５】
また、前記実施例１では、Ｐ形スピードナットからなる係止部４３（移動制限手段４１）を取付受部１６内（取付受部側取付孔１８の上方）に装着した実施の一形態としたが、取付受部側取付孔１８内に固定して備える構成であってもよく、またこのような係止部構造を取付受部内に直接設ける構成であってもよい。
また、係止部は丸形その他のスピードナットやプッシュナットなどであってもよい。
「変形例４」
【００４６】
離脱防止手段４９は、前記実施例１に開示の構造に限定されるものではなく、少なくとも、固定部材３６のピン頭部３８上方から、該ピン頭部３８を押圧可能な程度の開口５１を有していればよく、その全体形状等は特に限定されるものではない。
なお、前記実施例１では、各円環部５０を複数個連結した一体ものとしているが、これに限定解釈されるものではなく、円環部を独立して設けるとともに、夫々を各収容筒の上端に固着する形態であってもよい。
また、離脱防止手段は備えない構成を採用することも可能で本発明の範囲内である。
【図面の簡単な説明】
【００４７】
【図１】本発明の基板ケースを配置した状態を示す遊技機の背面斜視図。
【図２】遊技機の背面図。
【図３】基板ケースの一実施例を示す斜視図。
【図４】基板ケースの一実施例を示す平面図。
【図５】要部を拡大して示す部分拡大斜視図。
【図６】要部を拡大するとともに分解して示す部分拡大斜視図。
【図７】封止状態を示す要部拡大断面図。
【図８】移動制限手段の概略図で、（ａ）は移動制限手段の係止部を、裏側から見た状態で拡大して示す概略図、（ｂ）は係止部の係止先端が固定部材の溝に係合している状態を示す概略断面図、（ｃ）は移動制限手段の他の形態を、裏側から見た状態で拡大して示す概略図。
【図９】封止状態を解除した部分拡大斜視図。
【図１０】カバー体を取り外したときに、切断した取付部が基台側に残っている状態を示す部分拡大斜視図。
【図１１】カバー体を取り付けた状態を示す部分拡大斜視図。
【図１２】封止状態を示す要部拡大断面図。
【符号の説明】
【００４８】
１１  基板ケース
１２  基台
１６  取付受部
１８  取付受部側取付孔
２１  カバー体
２８  取付部
２９  取付部側取付孔
３５  封止手段
３６  固定部材
【図１】
2007089905.tif 000003
【図２】
2007089905.tif 000004
【図３】
2007089905.tif 000005
【図４】
2007089905.tif 000006
【図５】
2007089905.tif 000007
【図６】
2007089905.tif 000008
【図７】
2007089905.tif 000009
【図８】
2007089905.tif 000010
【図９】
2007089905.tif 000011
【図１０】
2007089905.tif 000012
【図１１】
2007089905.tif 000013
【図１２】
2007089905.tif 000014